(57)【要約】【課題】  不使用時には、既設のベッドの下部空間内に収容させることができ、使用時にはその下部空間から引き出して簡単に組み立てることができる簡易ベッド設備を提供する。【解決手段】  内部が収納部に形成されて下部に移動用の車輪を備え、天面がフラットに形成されて既設のベッドＢ１の下部空間Ｓ内に出し入れ可能に収容される収納庫６の少なくとも２台を、前記既設のベッドＢ１の下部空間Ｓ内から外部に引き出した状態で適宜離隔して並行に並べ、該２台の収納庫６の天面間に連結部材を兼用する中間棚１８を脱着可能に架設することにより、前記２台の収納庫６の天面と中間棚１８によって簡易ベッドが組み立てられるようにしたたこと。【選択図】    図３
2006204739.tif 000002
【特許請求の範囲】
【請求項１】
内部が収納部に形成されて下部に移動用の車輪を備え、天面がフラットに形成されて既設のベッドの下部空間内に出し入れ可能に収容される収納庫の少なくとも２台を、前記既設のベッドの下部空間内から外部に引き出した状態で適宜離隔して並行に並べ、該２台の収納庫の天面間に連結部材を兼用する中間棚を脱着可能に架設することにより、前記２台の収納庫の天面と中間棚によって簡易ベッドが組み立てられるようにしたたことを特徴とする簡易ベッド設備。
【請求項２】
中間棚に代え３台目の収納庫を２台の収納庫の間に配備して各収納庫の天面により簡易ベッドが組み立てられるようにした請求項１の簡易ベッド設備。
【請求項３】
収納庫及び／又は中間棚の天面の周囲に転落防止用の複数の保護柵を脱着可能に装着した請求項１又は請求項２の簡易ベッド設備。
【請求項４】
収納庫内の収納部は、引出し式の内箱に構成するか、又は、収納部の開放閉鎖をするための開閉扉を設けた請求項１〜３のいずれかの簡易ベッド設備。
【請求項５】
収納部の内箱、又は、前記開閉扉には施錠具を付設した請求項１〜４のいずれかの簡易ベッド設備。
【請求項６】
複数の収納庫と中間棚の上面には適宜のマット部材を敷設した請求項１〜５のいずれかの簡易ベッド設備。
【請求項７】
既設のベッドはパイプ材や型材によって構成された水平フレームとその水平フレームの前後側の垂直フレームを備え側面から見て横長の略Ｈ型乃至ｈ型のベッドである請求項１〜６のいずれかの簡易ベッド設備。
【発明の詳細な説明】
【技術分野】
【０００１】
本発明は、既設のベッド（水平フレーム及び両側の垂直フレームが金属パイプ等で構成され、水平フレーム上にマットを敷設して使用するもの）の下部空間を利用したベッド下収納庫の少なくとも２台を利用して形成することができる簡易ベッド設備に関する。
【背景技術】
【０００２】
従来から、既設のベッドの下部空間を利用して、衣類その他の各種の物品を収納することを目的として、移動用の車輪が下部に取り付けられた収納庫をその既設のベッドの下部空間内に出し入れ可能に収容した簡易ベッド設備が提案され、自衛隊や病院、寮施設などで利用されている。（例えば、特許文献１〜３参照）
【０００３】
上記の簡易ベッド設備の利用形態において、定員分のベッド設備しか設置されていない場所へ、不意の泊まりの来客があった場合、ベッド設備での宿泊は不可能であった。
【特許文献１】特許第３３５２３７５号公報
【特許文献２】特開２００２−３２５６５５号公報
【特許文献３】特開２００４−２０１７９５号公報
【発明の開示】
【発明が解決しようとする課題】
【０００４】
そこで本発明では、ベッド下に出入れ自在に収納庫を設備した簡易ベッド設備における当該収納庫の少なくとも２個を利用して形成する組立式の簡易ベッド設備を提供することを、その課題とする
【課題を解決するための手段】
【０００５】
上記課題を解決することを目的としてなされた本発明簡易ベッドの設備の構成は、内部が収納部に形成されて下部に移動用の車輪を備え、天面がフラットに形成されて既設のベッドの下部空間内に出し入れ可能に収容される収納庫の少なくとも２台を、前記既設のベッドの下部空間内から外部に引き出した状態で適宜離隔して並行に並べ、該２台の収納庫の天面間に連結部材を兼用する中間棚を脱着可能に架設することにより、前記２台の収納庫の天面と中間棚によって簡易ベッドが組み立てられるようにしたことを特徴とするものである。
【０００６】
本発明においては、前記中間棚に代え３台目の収納庫を２台の収納庫の間に配備して各収納庫の天面により簡易ベッドが組み立てられるようにしたことを、第二の特徴とする。
【発明の効果】
【０００７】
本発明の簡易ベッド設備に使用する収納庫は、車輪によって床上で移動可能な１台乃至３台の収納庫を通常時には既設ベッドの下部空間内に出し入れ可能に収容し、その収納庫内に衣類やその他の物品を収納することにより、既設のベッドの下部空間を有効利用した整理、整頓を行うことができるものである。
そこで本発明では、不意の来客や訪問者があってその者が宿泊をする等の緊急時には、少なくとも２台又は３台の収納庫を既設ベッドの部空間内から引き出し、２個の収納庫の天面間に連結部材を兼用する中間棚を脱着可能に架設するか、或いは、３台の収納庫を連結部材によって脱着可能に列状に連結することによって、これらの収納庫の天面を利用した簡易ベッドを素早く、簡単に組み立てることができるようにした。前記収納庫、中間棚等によって形成されたベッド面上にマットや毛布などを敷くだけで、既設ベッド同様に便利に使用することができる。連結する収納庫は３台以上の場合もある。
【０００８】
このとき、各収納庫の下部には移動用の車輪が取り付けられているので、組み立てられた簡易ベッドを室内の希望する位置へ自由に移動して設置することができ、その車輪にストッパー付キャスター等を利用すれば、就寝中に簡易ベッドが不意に移動する危険を防止できる。
また、収納庫を用いて組み立てられた簡易ベッドの天面の周囲に転落防止用の複数の保護柵を脱着可能に装着すれば、就寝中の脱落を防止することができて、安全性が向上する。
【０００９】
なお、収納庫を既設ベッドの下部空間内に収容させた形態においては、中間棚や保護柵等の備品を段ボール箱などの収容手段内に保管して、ベッド下の収納庫の脇に置くなどすれば場所を取らない整理、整頓が可能である。
【発明を実施するための最良の形態】
【００１０】
本発明を適用した簡易ベッド設備の実施の形態例を図を参照して説明する。図１は本発明簡易ベッド設備で使用する収納庫の設備形態例を説明する斜視図、図２は図１の収納庫の分解斜視図、図３は図１，図２の収納庫を使用した本発明簡易ベッド設備の一例の正面図、図４は図３の平面図、図５は図４のＡ−Ａ矢視断面図、図６は図４のＢ−Ｂ矢視図、図７は中間棚の平面図、図８は中間棚の断面図、図９は図４のＣ−Ｃ矢視拡大断面図、図１０は保護柵と中間棚との連結構造部分を拡大して示した一部切欠き断面図、図１１は保護柵と収納庫との連結構造部分を拡大して示した一部切欠き断面図及び平面図、図１２は本発明簡易ベット設備における各連結用ピンと各ピン差込み穴の関係を説明するための平面図、図１３は保護棚の連結構造の別例の拡大断面図、図１４は本発明簡易ベッド設備の第２例の正面図、図１５は図１２の平面図、図１６は本発明簡易ベッド設備の第２例に使用する収納庫の設備形態を説明する斜視図である。
【００１１】
図１は、既設ベッドの一例としてパイプ製のベッドＢ１を示したものであって、金属やプラスチック等のパイプ材などを主体として構成された水平フレーム１と、その水平フレーム１の左右両側に接続された垂直フレーム２とによって側面から見て横長のほぼＨ型に形成されている。左右両側の垂直フレーム２は、上部が横ビーム４で連結され、下部に合計４本の垂直状の脚部３が備えられ、水平フレーム１には、梯子状にラダー材５が架設されている。なお、使用に際しては、水平フレーム１上にマットＭや毛布等の敷物が敷設される。上記の、既設のベッドＢ１においては、水平フレーム１の下部で、左右両側の垂直フレーム２間の全領域が使用されない下部空間Ｓとなっている。
【００１２】
図２は、収納庫６の一例を示したものであって、板金等にて加工された収納庫本体７と、板金等にて加工された引出し式の内箱８とによって構成されていて、この収納庫本体７の天面７ａはフラット（水平面）に形成されている。そして、天面７ａの四隅部乃至その近傍には、図の例では２個を一組とするピンの差込み孔２１ａ，２１ｂと３５ａ，３５ｂが設けられている。差込み孔２１ａ，２１ｂ、３５ａ，３５ｂについては後述する。また、この収納庫６における収納庫本体７の下部には、四隅等に移動用の車輪であるロック機構付のキャスター９が取り付けられている。また、内箱８の前面側の中央下部には、内箱８を引出したときの前下りを防ぐための車輪である首振り機能のない１個のキャスター１０が取り付けられている。
内箱８は収納庫６における収納部を構成しており、この内箱８内には大小複数の収納空間１１の他に小物身の回り品や貴重品など格納するため、トレー１２を上面に備えた保管庫等が備えられている。
従って、使用者は、衣類その他の各種の物品等を引出し式の内箱８内に収容して、収納庫６に収納保管することができる。なお、内箱８の正面（前面）には、この内箱８を収納庫本体７の内部に収めたときに施錠するための施錠具１３が設けられていて、この施錠具１３によって内箱８を収納庫本体７に施錠することにより、収納庫６内の収容物品の盗難防止を図ることができる。
【００１３】
なお、引出し式の内箱８を使用しないで、図２に１点鎖線で示すように、収納庫本体７の前面開放部７ｂに開閉扉１５をヒンジ式や脱着方式等により開閉自在に取り付け、その開閉扉１５を施錠具１３によって収納庫本体７に施錠するように構成することもできる。
【００１４】
図１は、図２の収納庫６をベッドＢ１の下に収納配備した既設ベッドＢ１における後付け収納庫の設備形態を例示したものであって、ここでは、２台の収納庫６が既設のベッドＢ１の下部空間Ｓにおける左右両側の位置に収容されている。つまり、既設のベッドＢ１の下部空間Ｓを有効利用して２個の収納庫６が整然と設備されている。
【００１５】
次に、図３〜図６によって、上記の２台の収納庫６を用いた本発明簡易ベッド設備の実施の形態例について説明する。
２台の収納庫６は、図１に示す既設のベッドＢ１の下部空間Ｓ内に収容されている２台の収納庫６をその下部空間Ｓの外へ引き出して用意する。各ベッドＢ１に１台の収納庫６しか設備されていない場合には、２台のベッドＢ１からそれぞれ収納庫６を引出して用いる。
そして、この２台の収納庫６を適宜間隔を隔てて平行に並べた後に、その２台の収納庫６（以後、左右一対の収納庫６と記載する）の天面７ａの間に連結部材を兼用する中間棚１８を脱着可能で水平状に架設することにより、図３，図４に示す組立式の簡易ベッドＢ２を簡単に組み立てる。このとき、左右一対の収納庫６のキャスター９をロック機能によってロックし、これら左右一対の収納庫６を床上に固定すれば、簡易ベッドＢ２の組み立てを容易に行える。
【００１６】
図１，図２に示された中間棚１８は、図７〜図９に示すように、板金等により天面7aと略同等大きさの平面矩形の天板１８ａと、その天板１８ａの下面に平行に固着された複数本の補強用桟１８ｂによって軽量構造に構成されている。１８ｃはこの天板１８ａの四隅に形成した合計４個のピン差込み穴である。そして、この中間棚１８における天板１８ａの左右両側には、断面形状がほぼＺ形状乃至Ｌ形状をなし、長目の左右一対の連結用板１９が平行状で、左右対称をなすように固着されていて、これら左右一対の連結用板１９の長さ方向の両端（中間棚１８の四隅より内部側の位置）には、合計４本の連結用ピン２０が垂直状で下向きに固着されている。
そこで、この中間棚１８を、図３，図４及び図７，図８に示すように、左右一対の連結用板１９によって左右一対の収納庫６における本体７の天面７ａの互いに近接する側の縁部７ｂの上に、水平姿勢で脱着可能に載置する。その際、前記４本の連結用ピン２０は、左右一対の収納庫６における本体７の天面７ａの互いに近接する側の四隅に形成されている合計４個のピン差込み穴２１ａに上方から脱着可能に差し込む。
これにより、この中間棚１８によって左右一対の収納庫６が脱着可能に連結されて、これら左右一対の収納庫６，６における本体７の天面７ａと中間棚１８の天板１８ａの上面とによって所定長さのベッド面２３が形成された簡易ベッドＢ２を素早く、簡単に組み立てることができる。
【００１７】
次に、本発明簡易ベッド設備では、図３〜図６に例示するように、簡易ベッドＢ２におけるベッド面２３の長さ方向の中間部に位置する中間棚１８の左右両側（図４では上下）に転落防止用の前後一対の保護柵２６が平行状で脱着可能に装着され、また、左右一対の収納庫６における外側端となる縁部（図４では左右端）にも、転落防止用の一対の保護柵２７が平行状で脱着可能に装着されて、簡易ベッドＢ２が正規の形状、機能を有する状態に完成される。
【００１８】
ここで、上記の保護柵２６、２７は、金属やプラスチック等によるパイプ材などを主体にして構成されていて、それぞれ下方に平行状に垂下された２本の脚部２６ａ、２７ａを備えている。
そして、図３〜図５と図１０に示す前後一対の保護柵２６は、その２本の垂直状の脚部２６ａのそれぞれ下端寄りの側面に、断面略Ｌ型をなす連結用板２９がその垂直部において固着されている。ここで、図１０に示すように、各連結用板２９は各脚部２６ａの中心に対して左右対称状に固着されていて、その各連結用板２９の上部水平辺の下面に、この例では長さが異なるそれぞれ２本の連結用ピン３０が垂直状かつ平行に固着されている。
【００１９】
図３〜図５、並びに、図１０に示す保護棚２６は、前後一対の保護柵２６における各々左右一対の連結用板２９を、左右一対の収納庫６と中間棚１８との境界（継ぎ目）部分の上部に、これら両者を跨ぐように水平状に載置する。そして、２本を一対とする各連結用ピン３０を左右一対の収納庫６と中間棚１８との境界部に垂直状に形成されて一対をなすピン差込み穴１８ｃと２１ｂに上方から脱着可能に差し込む。
そうすると、前記差込み穴１８ｃと２１ｂに差込まれた保護棚２６の左右にある２本で一対の連結用ピン３０と、左右一対の収納庫６の差込穴２１ａに差込まれた中間棚１８の前後両側にある各一対の連結用ピン２０との協働作用によって前後一対（図では上，下）の保護棚２６が垂直姿勢で安定に固定される。即ち、保護柵２６の各左右一対の連結用ピン３０によって左右一対の収納庫６と中間棚１８との間の連結強度が向上されるのである。
【００２０】
一方、保護柵２７は、図３，図４，図６、並びに、図１１に示すように、左右一対の保護柵２７における２本の垂直状の脚部２７ａのそれぞれ下端側へ偏位された位置の側面にも、前後一対の保護柵２６と同様に、側面からみて逆Ｌ型状の連結用板３３が水平状に固着されていて、これらの各連結用板３３の上部の水平辺に、その下面側に向けたこの例では１本の連結用ピン３４が垂直姿勢で固着されている。
【００２１】
そこで、図３，図４，図６、並びに、図１１に示すように、左右一対の保護柵２７における各々の連結用板３３の上部水平辺を、左右一対の収納庫６における左右の両外側部位に位置付け、各連結用ピン３４を各ピン差込み穴３５ｂに上方から脱着可能に差し込む。
そうすると、左右一対の保護柵２７がそれぞれ左右一対の収納庫６の左右両側部のコーナー部分と天板６ａと左右一対の連結用ピン３４によって垂直状に安定良く固定されることになる。なお、上記の各ピンと各ピン差込み穴の関係を理解するには、図１２を参照するとよい。
【００２２】
以上のように組み立てられる簡易ベッドＢ２を分解して、左右一対の収納庫６を図１に示すように既設のベッドＢ１の下部空間Ｓ内に収容するには、当該ベッドＢ２の構成部品である中間棚１８、前後一対の保護柵２６及び左右一対の保護柵２７を前述した組立て操作の逆の手順で分解する。
そして、図１に例示するように、その分解した中間棚１８、合計４本の保護柵２６、２７をダンボール箱などの収容手段３８等の内部に収容して、既設のベッドＢ１の下部空間Ｓ内で、左右一対の収納庫６の中間に空いている位置に収納すれば、この簡易ベッドＢ２の不使用時には、これらのベッド構成部品を場所をとらずに、整然と保管することができる。
【００２３】
なお、図１３は左右一対の保護柵２７の連結構造部分の別例を示したものであって、各連結用板３３の連結用ピン３４及び各収納庫６の差込み穴３５をそれぞれ２個に構成して、各保護柵２７を各収納庫６の側面に上方から脱着可能に装着した際の取付け強度及び姿勢の安定性を増大させるように構成したものである。
【００２４】
次に、本発明簡易ベッド設備の実施形態の第２例を図１４〜図１６によって説明する。
図１４は本発明の簡易ベッド設備における第１の設備形態を示したものであって、前述した収納庫６が３個分、既設のベッドＢ１の下部空間Ｓ内に横一列状に並べられて収容された状態を示している。
【００２５】
図１４，図１５は、図１６の既設ベッドＢ１の下に設備されている３台の収納庫６を使用して組立てた本発明簡易ベッド設備における第２の設備形態を示したものである。この場合には、先の実施形態で説明した連結部材を兼用していた中間棚１８は使用されず、既設ベッドＢ１の下部空間Ｓから引き出した３台の収納庫６を連結部材を兼用する前後一対の保護柵２６によって脱着可能に連結して簡易ベット設備が形成される。
【００２６】
即ち、前述した前後一対の保護柵２６の左右各一対の連結用板２９の下面に垂直状に固着されている各２本の連結用ピン３０を中央の収納庫６の左右両端に形成された垂直状の一対のピン差込み穴３１と両側の収納庫６の左右方向の内側端に形成された各１つのピン差込み穴３１に脱着可能に、上方向から同時に差し込むことによって、これら前後一対の保護柵２６によって３台の収納庫６が一列状に、脱着可能に連結されることになる。従って、この場合は、前後一対の保護柵２６が３個の収納庫６の連結部材に構成されている。
そして、左右両側の収納庫６の左右両端部には、前述した例と同じように、左右一対の保護柵２７が前述した脱着構造によって脱着可能に装着されて、簡易ベッドＢ２が正規の形状に組み立てられる。
【産業上の利用可能性】
【００２７】
既設のベッドの下部空間内に出し入れ可能に収容されている少なくとも２台の収納庫を、中間棚を兼用する連結部材によって列状に連結して本発明簡易ベッド設備を組み立てることが可能であるから、既設ベッドの下に収納庫を設けたベッド設備が員数分しか用意されていない場所へ、不意の泊まりの来客があっても、容易かつ迅速に、ベッド下の収納庫を利用した簡易ベッド設備を用意することができるので、実用上きわめて有用である。
【図面の簡単な説明】
【００２８】
【図１】本発明簡易ベッド設備で使用する収納庫の設備形態例を説明する斜視図。
【図２】図１の収納庫の分解斜視図。
【図３】図１，図２の収納庫を使用した本発明簡易ベッド設備の一例の正面図。
【図４】図３の平面図。
【図５】図４のＡ−Ａ矢視断面図。
【図６】図４のＢ−Ｂ矢視図。
【図７】中間棚の平面図。
【図８】中間棚の断面図。
【図９】図４のＣ−Ｃ矢視拡大断面図。
【図１０】保護柵と中間棚との連結構造部分を拡大して示した一部切欠き断面図。
【図１１】保護柵と収納庫との連結構造部分を拡大して示した一部切欠き断面図及び平面図。
【図１２】本発明簡易ベット設備における各連結用ピンと各ピン差込み穴の関係を説明するための平面図。
【図１３】保護棚の連結構造の別例の拡大断面図。
【図１４】本発明簡易ベッド設備の第２例の正面図。
【図１５】図１２の平面図。
【図１６】本発明簡易ベッド設備の第２例に使用する収納庫の設備形態を説明する斜視図。
【符号の説明】
【００２９】
Ｂ１  既設ベッド
Ｓ    下部空間
Ｍ    マット
１    水平フレーム
２    垂直フレーム
３    脚部
Ｂ２  本発明簡易ベッドの設備
６    収納庫
７    収納庫本体
８    内箱
９    ロック機能付のキャスター
１０  内箱のキャスター
１１  収納空間
１２  保管庫
１３  施錠具
１５  開閉扉
１８  連結部材を兼用する中間棚
１８ａ  天板
１９  連結用板
２０  連結用ピン
２１  ピン差込み穴
２３  ベッド面
２６  連結部材を兼用する保護柵
２７  保護柵
２９  連結用板
３０  連結用ピン
３１  ピン差込み穴
３３  連結用板
３４  連結用ピン
３５  ピン差込み穴
３８  ダンボール箱
【図１】
2006204739.tif 000003
【図２】
2006204739.tif 000004
【図３】
2006204739.tif 000005
【図４】
2006204739.tif 000006
【図５】
2006204739.tif 000007
【図６】
2006204739.tif 000008
【図７】
2006204739.tif 000009
【図８】
2006204739.tif 000010
【図９】
2006204739.tif 000011
【図１０】
2006204739.tif 000012
【図１１】
2006204739.tif 000013
【図１２】
2006204739.tif 000014
【図１３】
2006204739.tif 000015
【図１４】
2006204739.tif 000016
【図１５】
2006204739.tif 000017
【図１６】
2006204739.tif 000018
【手続補正書】
【提出日】平成17年2月1日(2005.2.1)
【手続補正１】
【補正対象書類名】明細書
【補正対象項目名】全文
【補正方法】変更
【補正の内容】
【発明の詳細な説明】
【技術分野】
【０００１】
本発明は、既設のベッド（水平フレーム及び両側の垂直フレームが金属パイプ等で構成され、水平フレーム上にマットを敷設して使用するもの）の下部空間を利用したベッド下収納庫の少なくとも２台を利用して形成することができる簡易ベッド設備に関する。
【背景技術】
【０００２】
従来から、既設のベッドの下部空間を利用して、衣類その他の各種の物品を収納することを目的として、移動用の車輪が下部に取り付けられた収納庫をその既設のベッドの下部空間内に出し入れ可能に収容した簡易ベッド設備が提案され、自衛隊や病院、寮施設などで利用されている。（例えば、特許文献１〜３参照）
【０００３】
上記の簡易ベッド設備の利用形態において、定員分のベッド設備しか設置されていない場所へ、不意の泊まりの来客があった場合、ベッド設備での宿泊は不可能であった。
【特許文献１】特許第３３５２３７５号公報
【特許文献２】特開２００２−３２５６５５号公報
【特許文献３】特開２００４−２０１７９５号公報
【発明の開示】
【発明が解決しようとする課題】
【０００４】
そこで本発明では、ベッド下に出入れ自在に収納庫を設備した簡易ベッド設備における当該収納庫の少なくとも２個を利用して形成する組立式の簡易ベッド設備を提供することを、その課題とする
【課題を解決するための手段】
【０００５】
上記課題を解決することを目的としてなされた本発明簡易ベッドの設備の構成は、内部が収納部に形成されて下部に移動用の車輪を備え、天面がフラットに形成されて既設のベッドの下部空間内に出し入れ可能に収容される収納庫の少なくとも２台を、前記既設のベッドの下部空間内から外部に引き出した状態で適宜離隔して並行に並べ、該２台の収納庫の天面間に連結部材を兼用する中間棚を脱着可能に架設することにより、前記２台の収納庫の天面と中間棚によって簡易ベッドが組み立てられるようにしたことを特徴とするものである。
【０００６】
本発明においては、前記中間棚に代え３台目の収納庫を２台の収納庫の間に配備して各収納庫の天面により簡易ベッドが組み立てられるようにしたことを、第二の特徴とする。
【発明の効果】
【０００７】
本発明の簡易ベッド設備に使用する収納庫は、車輪によって床上で移動可能な１台乃至３台の収納庫を通常時には既設ベッドの下部空間内に出し入れ可能に収容し、その収納庫内に衣類やその他の物品を収納することにより、既設のベッドの下部空間を有効利用した整理、整頓を行うことができるものである。
そこで本発明では、不意の来客や訪問者があってその者が宿泊をする等の緊急時には、少なくとも２台又は３台の収納庫を既設ベッドの部空間内から引き出し、２個の収納庫の天面間に連結部材を兼用する中間棚を脱着可能に架設するか、或いは、３台の収納庫を連結部材によって脱着可能に列状に連結することによって、これらの収納庫の天面を利用した簡易ベッドを素早く、簡単に組み立てることができるようにした。前記収納庫、中間棚等によって形成されたベッド面上にマットや毛布などを敷くだけで、既設ベッド同様に便利に使用することができる。連結する収納庫は３台以上の場合もある。
【０００８】
このとき、各収納庫の下部には移動用の車輪が取り付けられているので、組み立てられた簡易ベッドを室内の希望する位置へ自由に移動して設置することができ、その車輪にストッパー付キャスター等を利用すれば、就寝中に簡易ベッドが不意に移動する危険を防止できる。
また、収納庫を用いて組み立てられた簡易ベッドの天面の周囲に転落防止用の複数の保護柵を脱着可能に装着すれば、就寝中の脱落を防止することができて、安全性が向上する。
【０００９】
なお、収納庫を既設ベッドの下部空間内に収容させた形態においては、中間棚や保護柵等の備品を段ボール箱などの収容手段内に保管して、ベッド下の収納庫の脇に置くなどすれば場所を取らない整理、整頓が可能である。
【発明を実施するための最良の形態】
【００１０】
本発明を適用した簡易ベッド設備の実施の形態例を図を参照して説明する。図１は本発明簡易ベッド設備で使用する収納庫の設備形態例を説明する斜視図、図２は図１の収納庫の分解斜視図、図３は図１，図２の収納庫を使用した本発明簡易ベッド設備の一例の正面図、図４は図３の平面図、図５は図４のＡ−Ａ矢視断面図、図６は図４のＢ−Ｂ矢視図、図７は中間棚の平面図、図８は中間棚の断面図、図９は図４のＣ−Ｃ矢視拡大断面図、図１０は保護柵と中間棚との連結構造部分を拡大して示した一部切欠き断面図、図１１は保護柵と収納庫との連結構造部分を拡大して示した一部切欠き断面図及び平面図、図１２は本発明簡易ベット設備における各連結用ピンと各ピン差込み穴の関係を説明するための平面図、図１３は保護棚の連結構造の別例の拡大断面図、図１４は本発明簡易ベッド設備の第２例の正面図、図１５は図１２の平面図、図１６は本発明簡易ベッド設備の第２例に使用する収納庫の設備形態を説明する斜視図である。
【００１１】
図１は、既設ベッドの一例としてパイプ製のベッドＢ１を示したものであって、金属やプラスチック等のパイプ材などを主体として構成された水平フレーム１と、その水平フレーム１の左右両側に接続された垂直フレーム２とによって側面から見て横長のほぼＨ型に形成されている。左右両側の垂直フレーム２は、上部が横ビーム４で連結され、下部に合計４本の垂直状の脚部３が備えられ、水平フレーム１には、梯子状にラダー材５が架設されている。なお、使用に際しては、水平フレーム１上にマットＭや毛布等の敷物が敷設される。上記の、既設のベッドＢ１においては、水平フレーム１の下部で、左右両側の垂直フレーム２間の全領域が使用されない下部空間Ｓとなっている。
【００１２】
図２は、収納庫６の一例を示したものであって、板金等にて加工された収納庫本体７と、板金等にて加工された引出し式の内箱８とによって構成されていて、この収納庫本体７の天面７ａはフラット（水平面）に形成されている。そして、天面７ａの四隅部乃至その近傍には、図の例では２個を一組とするピンの差込み孔２１ａ，２１ｂと３５ａ，３５ｂが設けられている。差込み孔２１ａ，２１ｂ、３５ａ，３５ｂについては後述する。また、この収納庫６における収納庫本体７の下部には、四隅等に移動用の車輪であるロック機構付のキャスター９が取り付けられている。また、内箱８の前面側の中央下部には、内箱８を引出したときの前下りを防ぐための車輪である首振り機能のない１個のキャスター１０が取り付けられている。
内箱８は収納庫６における収納部を構成しており、この内箱８内には大小複数の収納空間１１の他に小物身の回り品や貴重品など格納するため、トレー１２を上面に備えた保管庫等が備えられている。
従って、使用者は、衣類その他の各種の物品等を引出し式の内箱８内に収容して、収納庫６に収納保管することができる。なお、内箱８の正面（前面）には、この内箱８を収納庫本体７の内部に収めたときに施錠するための施錠具１３が設けられていて、この施錠具１３によって内箱８を収納庫本体７に施錠することにより、収納庫６内の収容物品の盗難防止を図ることができる。
【００１３】
なお、引出し式の内箱８を使用しないで、図２に１点鎖線で示すように、収納庫本体７の前面開放部７ｂに開閉扉１５をヒンジ式や脱着方式等により開閉自在に取り付け、その開閉扉１５を施錠具１３によって収納庫本体７に施錠するように構成することもできる。
【００１４】
図１は、図２の収納庫６をベッドＢ１の下に収納配備した既設ベッドＢ１における後付け収納庫の設備形態を例示したものであって、ここでは、２台の収納庫６が既設のベッドＢ１の下部空間Ｓにおける左右両側の位置に収容されている。つまり、既設のベッドＢ１の下部空間Ｓを有効利用して２個の収納庫６が整然と設備されている。
【００１５】
次に、図３〜図６によって、上記の２台の収納庫６を用いた本発明簡易ベッド設備の実施の形態例について説明する。
２台の収納庫６は、図１に示す既設のベッドＢ１の下部空間Ｓ内に収容されている２台の収納庫６をその下部空間Ｓの外へ引き出して用意する。各ベッドＢ１に１台の収納庫６しか設備されていない場合には、２台のベッドＢ１からそれぞれ収納庫６を引出して用いる。
そして、この２台の収納庫６を適宜間隔を隔てて平行に並べた後に、その２台の収納庫６（以後、左右一対の収納庫６と記載する）の天面７ａの間に連結部材を兼用する中間棚１８を脱着可能で水平状に架設することにより、図３，図４に示す組立式の簡易ベッドＢ２を簡単に組み立てる。このとき、左右一対の収納庫６のキャスター９をロック機能によってロックし、これら左右一対の収納庫６を床上に固定すれば、簡易ベッドＢ２の組み立てを容易に行える。
【００１６】
図１，図２に示された中間棚１８は、図７〜図９に示すように、板金等により天面7aと略同等大きさの平面矩形の天板１８ａと、その天板１８ａの下面に平行に固着された複数本の補強用桟１８ｂによって軽量構造に構成されている。１８ｃはこの天板１８ａの四隅に形成した合計４個のピン差込み穴である。そして、この中間棚１８における天板１８ａの左右両側には、断面形状がほぼＺ形状乃至Ｌ形状をなし、長目の左右一対の連結用板１９が平行状で、左右対称をなすように固着されていて、これら左右一対の連結用板１９の長さ方向の両端（中間棚１８の四隅より内部側の位置）には、合計４本の連結用ピン２０が垂直状で下向きに固着されている。
そこで、この中間棚１８を、図３，図４及び図７，図８に示すように、左右一対の連結用板１９によって左右一対の収納庫６における本体７の天面７ａの互いに近接する側の縁部７ｂの上に、水平姿勢で脱着可能に載置する。その際、前記４本の連結用ピン２０は、左右一対の収納庫６における本体７の天面７ａの互いに近接する側の四隅に形成されている合計４個のピン差込み穴２１ａに上方から脱着可能に差し込む。
これにより、この中間棚１８によって左右一対の収納庫６が脱着可能に連結されて、これら左右一対の収納庫６，６における本体７の天面７ａと中間棚１８の天板１８ａの上面とによって所定長さのベッド面２３が形成された簡易ベッドＢ２を素早く、簡単に組み立てることができる。
【００１７】
次に、本発明簡易ベッド設備では、図３〜図６に例示するように、簡易ベッドＢ２におけるベッド面２３の長さ方向の中間部に位置する中間棚１８の左右両側（図４では上下）に転落防止用の前後一対の保護柵２６が平行状で脱着可能に装着され、また、左右一対の収納庫６における外側端となる縁部（図４では左右端）にも、転落防止用の一対の保護柵２７が平行状で脱着可能に装着されて、簡易ベッドＢ２が正規の形状、機能を有する状態に完成される。
【００１８】
ここで、上記の保護柵２６、２７は、金属やプラスチック等によるパイプ材などを主体にして構成されていて、それぞれ下方に平行状に垂下された２本の脚部２６ａ、２７ａを備えている。
そして、図３〜図５と図１０に示す前後一対の保護柵２６は、その２本の垂直状の脚部２６ａのそれぞれ下端寄りの側面に、断面略Ｌ型をなす連結用板２９がその垂直部において固着されている。ここで、図１０に示すように、各連結用板２９は各脚部２６ａの中心に対して左右対称状に固着されていて、その各連結用板２９の上部水平辺の下面に、この例では長さが異なるそれぞれ２本の連結用ピン３０が垂直状かつ平行に固着されている。
【００１９】
図３〜図５、並びに、図１０に示す保護棚２６は、前後一対の保護柵２６における各々左右一対の連結用板２９を、左右一対の収納庫６と中間棚１８との境界（継ぎ目）部分の上部に、これら両者を跨ぐように水平状に載置する。そして、２本を一対とする各連結用ピン３０を左右一対の収納庫６と中間棚１８との境界部に垂直状に形成されて一対をなすピン差込み穴１８ｃと２１ｂに上方から脱着可能に差し込む。
そうすると、前記差込み穴１８ｃと２１ｂに差込まれた保護棚２６の左右にある２本で一対の連結用ピン３０と、左右一対の収納庫６の差込穴２１ａに差込まれた中間棚１８の前後両側にある各一対の連結用ピン２０との協働作用によって前後一対（図では上，下）の保護棚２６が垂直姿勢で安定に固定される。即ち、保護柵２６の各左右一対の連結用ピン３０によって左右一対の収納庫６と中間棚１８との間の連結強度が向上されるのである。
【００２０】
一方、保護柵２７は、図３，図４，図６、並びに、図１１に示すように、左右一対の保護柵２７における２本の垂直状の脚部２７ａのそれぞれ下端側へ偏位された位置の側面にも、前後一対の保護柵２６と同様に、側面からみて逆Ｌ型状の連結用板３３が水平状に固着されていて、これらの各連結用板３３の上部の水平辺に、その下面側に向けたこの例では１本の連結用ピン３４が垂直姿勢で固着されている。
【００２１】
そこで、図３，図４，図６、並びに、図１１に示すように、左右一対の保護柵２７における各々の連結用板３３の上部水平辺を、左右一対の収納庫６における左右の両外側部位に位置付け、各連結用ピン３４を各ピン差込み穴３５ｂに上方から脱着可能に差し込む。
そうすると、左右一対の保護柵２７がそれぞれ左右一対の収納庫６の左右両側部のコーナー部分と天板６ａと左右一対の連結用ピン３４によって垂直状に安定良く固定されることになる。なお、上記の各ピンと各ピン差込み穴の関係を理解するには、図１２を参照するとよい。
【００２２】
以上のように組み立てられる簡易ベッドＢ２を分解して、左右一対の収納庫６を図１に示すように既設のベッドＢ１の下部空間Ｓ内に収容するには、当該ベッドＢ２の構成部品である中間棚１８、前後一対の保護柵２６及び左右一対の保護柵２７を前述した組立て操作の逆の手順で分解する。
そして、図１に例示するように、その分解した中間棚１８、合計４本の保護柵２６、２７をダンボール箱などの収容手段３８等の内部に収容して、既設のベッドＢ１の下部空間Ｓ内で、左右一対の収納庫６の中間に空いている位置に収納すれば、この簡易ベッドＢ２の不使用時には、これらのベッド構成部品を場所をとらずに、整然と保管することができる。
【００２３】
なお、図１３は左右一対の保護柵２７の連結構造部分の別例を示したものであって、各連結用板３３の連結用ピン３４及び各収納庫６の差込み穴３５をそれぞれ２個に構成して、各保護柵２７を各収納庫６の側面に上方から脱着可能に装着した際の取付け強度及び姿勢の安定性を増大させるように構成したものである。
【００２４】
次に、本発明簡易ベッド設備の実施形態の第２例を図１４〜図１６によって説明する。
図１４は本発明の簡易ベッド設備における第１の設備形態を示したものであって、前述した収納庫６が３個分、既設のベッドＢ１の下部空間Ｓ内に横一列状に並べられて収容された状態を示している。
【００２５】
図１４，図１５は、図１６の既設ベッドＢ１の下に設備されている３台の収納庫６を使用して組立てた本発明簡易ベッド設備における第２の設備形態を示したものである。この場合には、先の実施形態で説明した連結部材を兼用していた中間棚１８は使用されず、既設ベッドＢ１の下部空間Ｓから引き出した３台の収納庫６を連結部材を兼用する前後一対の保護柵２６によって脱着可能に連結して簡易ベット設備が形成される。
【００２６】
即ち、前述した前後一対の保護柵２６の左右各一対の連結用板２９の下面に垂直状に固着されている各２本の連結用ピン３０を中央の収納庫６の左右両端に形成された垂直状の一対のピン差込み穴３１と両側の収納庫６の左右方向の内側端に形成された各１つのピン差込み穴３１に脱着可能に、上方向から同時に差し込むことによって、これら前後一対の保護柵２６によって３台の収納庫６が一列状に、脱着可能に連結されることになる。従って、この場合は、前後一対の保護柵２６が３個の収納庫６の連結部材に構成されている。
そして、左右両側の収納庫６の左右両端部には、前述した例と同じように、左右一対の保護柵２７が前述した脱着構造によって脱着可能に装着されて、簡易ベッドＢ２が正規の形状に組み立てられる。
【産業上の利用可能性】
【００２７】
既設のベッドの下部空間内に出し入れ可能に収容されている少なくとも２台の収納庫を、中間棚を兼用する連結部材によって列状に連結して本発明簡易ベッド設備を組み立てることが可能であるから、既設ベッドの下に収納庫を設けたベッド設備が員数分しか用意されていない場所へ、不意の泊まりの来客があっても、容易かつ迅速に、ベッド下の収納庫を利用した簡易ベッド設備を用意することができるので、実用上きわめて有用である。
【図面の簡単な説明】
【００２８】
【図１】本発明簡易ベッド設備で使用する収納庫の設備形態例を説明する斜視図。
【図２】図１の収納庫の分解斜視図。
【図３】図１，図２の収納庫を使用した本発明簡易ベッド設備の一例の正面図。
【図４】図３の平面図。
【図５】図４のＡ−Ａ矢視断面図。
【図６】図４のＢ−Ｂ矢視図。
【図７】中間棚の平面図。
【図８】中間棚の断面図。
【図９】図４のＣ−Ｃ矢視拡大断面図。
【図１０】保護柵と中間棚との連結構造部分を拡大して示した一部切欠き断面図。
【図１１】保護柵と収納庫との連結構造部分を拡大して示した一部切欠き断面図及び平面図。
【図１２】本発明簡易ベット設備における各連結用ピンと各ピン差込み穴の関係を説明するための平面図。
【図１３】保護棚の連結構造の別例の拡大断面図。
【図１４】本発明簡易ベッド設備の第２例の正面図。
【図１５】図１２の平面図。
【図１６】本発明簡易ベッド設備の第２例に使用する収納庫の設備形態を説明する斜視図。
【符号の説明】
【００２９】
Ｂ１  既設ベッド
Ｓ    下部空間
Ｍ    マット
１    水平フレーム
２    垂直フレーム
３    脚部
Ｂ２  本発明簡易ベッドの設備
６    収納庫
７    収納庫本体
８    内箱
９    ロック機能付のキャスター
１０  内箱のキャスター
１１  収納空間
１２  保管庫
１３  施錠具
１５  開閉扉
１８  連結部材を兼用する中間棚
１８ａ  天板
１９  連結用板
２０  連結用ピン
２１  ピン差込み穴
２３  ベッド面
２６  連結部材を兼用する保護柵
２７  保護柵
２９  連結用板
３０  連結用ピン
３１  ピン差込み穴
３３  連結用板
３４  連結用ピン
３５  ピン差込み穴
３８  ダンボール箱